(57)【要約】【課題】大型化及び高コスト化を招くことなく、３種類以上の光ディスクに対応可能で、各光ディスクに対する対物レンズの位置制御に必要な情報を含む信号を精度良く出力することができる光ピックアップ装置を提供する。【解決手段】３つの光源（ＬＤ１，ＬＤ２，ＬＤ３）から出射された光束は、それぞれ対物レンズ６０を介して対応する光ディスク１５の記録面に集光される。このとき、３つの光源のうち２つの特定光源（ＬＤ２，ＬＤ３）から出射された光束は、それぞれ光路分離素子１３１で分岐された後、対物レンズに入射する。すなわち、２つの特定光源で光路分離素子を共有しているため、従来よりも部品点数を減らすことが可能となり、光ピックアップ装置の小型化及び低コスト化を促進することができるとともに、部品の組み付け工程及び調整工程を簡略化することが可能となる。【選択図】  図２
2004362698.tif 000002
【特許請求の範囲】
【請求項１】
光ディスクの記録面に光を照射するとともに、前記記録面からの反射光を受光する光ピックアップ装置であって、
少なくとも３種類の光ディスクに個別に対応して設けられ、対応する光ディスクに応じた波長の光束をそれぞれ出射する少なくとも３つの光源と；
前記各光束を対応する光ディスクの記録面に集光する対物レンズと、前記少なくとも３つの光源のうち、少なくとも２つの特定光源から出射された光束をそれぞれ前記対物レンズに向かう方向に分岐する光路分離素子とを含み、前記記録面で反射された戻り光束を所定の受光位置まで導く光学系と；
前記受光位置に配置され、前記戻り光束を受光する光検出器と；を備える光ピックアップ装置。
【請求項２】
前記光路分離素子は、前記少なくとも２つの特定光源から出射された光束をそれぞれ分岐するための少なくとも２つの波長選択性を有する光路分離面を有する光路分離用プリズムであることを特徴とする請求項１に記載の光ピックアップ装置。
【請求項３】
前記少なくとも２つの光路分離面は、互いに交差していることを特徴とする請求項２に記載の光ピックアップ装置。
【請求項４】
前記少なくとも３つの光源のうち少なくとも１つの光源から出射される光束のアスペクト比を変えるための整形用プリズムを更に備え、該整形用プリズムは前記光路分離用プリズムと一体化していることを特徴とする請求項２又は３に記載の光ピックアップ装置。
【請求項５】
前記光路分離素子は、１つの光路分離面を有する光路分離用プリズムであり、
前記少なくとも２つの特定光源のうち、アクセス対象となる光ディスクの種類に応じて選択された光源から出射された光束が前記光路分離面で前記対物レンズに向かう方向に分岐されるように、前記光路分離用プリズムを回動する駆動手段を更に備えることを特徴とする請求項１に記載の光ピックアップ装置。
【請求項６】
前記少なくとも２つの特定光源は、前記少なくとも３つの光源のうち、最も短い波長の光束を出射する光源を除く光源であることを特徴とする請求項１〜５のいずれか一項に記載の光ピックアップ装置。
【請求項７】
前記最も短い波長の光束は、前記光路分離素子を透過して前記対物レンズに入射することを特徴とする請求項６に記載の光ピックアップ装置。
【請求項８】
前記少なくとも３つの光源のうち、少なくとも１つの光源は、該光源から出射された光束の戻り光束を受光する光検出器と一体化していることを特徴とする請求項１〜７のいずれか一項に記載の光ピックアップ装置。
【請求項９】
光ディスクに対して情報の記録、再生及び消去のうち少なくとも再生を行なう光ディスク装置であって、
請求項１〜８のいずれか一項に記載の光ピックアップ装置と；
前記光ピックアップ装置を介して、前記情報の記録、再生及び消去のうち少なくとも再生を行なう処理装置と；を備える光ディスク装置。
【発明の詳細な説明】
【０００１】
【発明の属する技術分野】
本発明は光ピックアップ装置及び光ディスク装置に係り、さらに詳しくは、光ディスクの記録面に光を照射し、その記録面からの反射光を受光する光ピックアップ装置及び該光ピックアップ装置を備えた光ディスク装置に関する。
【０００２】
【従来の技術】
近年、デジタル技術の進歩、及びデータ圧縮技術の向上に伴い、音楽、映画、写真及びコンピュータソフトなどの情報（以下「コンテンツ」ともいう）を記録するための媒体として、ＣＤ（ｃｏｍｐａｃｔ  ｄｉｓｃ）や、ＣＤの約７倍相当のデータをＣＤと同じ直径のディスクに記録可能としたＤＶＤ（ｄｉｇｉｔａｌ  ｖｅｒｓａｔｉｌｅ  ｄｉｓｃ）などの光ディスクが注目されるようになり、その低価格化とともに、光ディスクを情報記録の対象媒体とする光ディスク装置が普及するようになった。なお、ＣＤ系の光ディスクとしては、ＣＤ−ＲＯＭ、ＣＤ−Ｒ（ＣＤ−ｒｅｃｏｒｄａｂｌｅ）及びＣＤ−ＲＷ（ＣＤ−ｒｅｗｒｉｔａｂｌｅ）などが、ＤＶＤ系の光ディスクとしては、ＤＶＤ−ＲＯＭ、ＤＶＤ−ＲＡＭ、ＤＶＤ−Ｒ（ＤＶＤ−ｒｅｃｏｒｄａｂｌｅ）、ＤＶＤ−ＲＷ（ＤＶＤ−ｒｅｗｒｉｔａｂｌｅ）、ＤＶＤ＋Ｒ（ＤＶＤ＋ｒｅｃｏｒｄａｂｌｅ）及びＤＶＤ＋ＲＷ（ＤＶＤ＋ｒｅｗｒｉｔａｂｌｅ）などが市販されている。
【０００３】
光ディスク装置は、光ディスクの記録面に光スポットを形成して情報の記録又は消去を行い、記録面からの反射光（戻り光束）に基づいて情報の再生などを行っている。そこで、光ディスク装置は、レーザ光を出射するとともに、記録面からの戻り光束を受光するための装置として光ピックアップ装置を備えている。
【０００４】
一般的に光ピックアップ装置は、光源、該光源から出射されるレーザ光を記録面に導くとともに、記録面からの戻り光束を所定の受光位置まで導く光学系、及び受光位置に配置された受光素子などを備えている。この受光素子からは、記録面に記録されているデータの再生情報だけでなく、光ピックアップ装置自体及び対物レンズの位置制御に必要な情報（サーボ情報）などを含む信号が出力される。
【０００５】
しかしながら、コンテンツの情報量の増加に伴い、光ディスクの記録容量の更なる増加が期待されている。光ディスクにおける情報の記録密度を高めるには、記録面に集光される光スポットの大きさ（スポット径）を小さくする必要がある。そこで、スポット径を小さくする手段の一つとして、光源から出射されるレーザ光の波長を短くすることが検討され、最近では４０５ｎｍ前後の発振波長を有する青色レーザを用いた光ディスク装置の開発が盛んに行われている。なお、以下では便宜上、４０５ｎｍ前後の波長のレーザ光が用いられる光ディスクを「青色ＤＶＤ」、６５０ｎｍ前後の波長のレーザ光が用いられる従来のＤＶＤを「赤色ＤＶＤ」と呼ぶこととする。
【０００６】
現在、ＣＤや赤色ＤＶＤが広く普及しているため、青色ＤＶＤに対応した光ディスク装置が市販されるようになっても、ＣＤや赤色ＤＶＤにアクセスできる光ディスク装置も必要である。しかしながら、各光ディスクに対応する光ディスク装置を個別に備えると、広い設置場所が必要になり、更に電源コードなどの配線が複雑になる。そこで、３種類の光ディスク（ＣＤ、赤色ＤＶＤ、及び青色ＤＶＤ）に対応できる光ピックアップ装置の開発が行われている（例えば非特許文献１参照）。
【０００７】
【非特許文献１】
片山、他１名、「ブルー  ＮＡ０．８５／ＤＶＤ／ＣＤ  コンパチブル  オプチカル  ヘッド（Ｂｌｕｅ  ＮＡ０．８５／ＤＶＤ／ＣＤ  Ｃｏｍｐａｔｉｂｌｅ  Ｏｐｔｉｃａｌ  Ｈｅａｄ）」、ＩＳＯＭ／ＯＤＳ２００２  予稿集、２００２年、ｐ．１６８−１６９
【０００８】
【発明が解決しようとする課題】
しかしながら、上記非特許文献１に開示されている光ピックアップ装置では、各波長に対応した光学系をそれぞれ備えているために、従来の２波長光ピックアップ装置に比べて、部品点数が増加し、大型化及び高コスト化を招来するという不都合があった。従って、例えば２波長光ピックアップ装置に代えてノート型パソコンなどの携帯用情報機器に内蔵するのが困難となる。
【０００９】
本発明は、かかる事情の下になされたもので、その第１の目的は、大型化及び高コスト化を招くことなく、３種類以上の光ディスクに対応可能で、各光ディスクに対する対物レンズの位置制御に必要な情報を含む信号を精度良く出力することができる光ピックアップ装置を提供することにある。
【００１０】
また、本発明の第２の目的は、大型化及び高コスト化を招くことなく、３種類以上の光ディスクに対応可能で、各光ディスクに対するアクセスを精度良く行うことができる光ディスク装置を提供することにある。
【００１１】
【課題を解決するための手段】
請求項１に記載の発明は、光ディスクの記録面に光を照射するとともに、前記記録面からの反射光を受光する光ピックアップ装置であって、少なくとも３種類の光ディスクに個別に対応して設けられ、対応する光ディスクに応じた波長の光束をそれぞれ出射する少なくとも３つの光源と；前記各光束を対応する光ディスクの記録面に集光する対物レンズと、前記少なくとも３つの光源のうち、少なくとも２つの特定光源から出射された光束をそれぞれ前記対物レンズに向かう方向に分岐する光路分離素子とを含み、前記記録面で反射された戻り光束を所定の受光位置まで導く光学系と；前記受光位置に配置され、前記戻り光束を受光する光検出器と；を備える光ピックアップ装置である。
【００１２】
これによれば、少なくとも３つの光源から出射された光束は、それぞれ対物レンズを介して対応する光ディスクの記録面に集光される。このとき、少なくとも３つの光源のうち、少なくとも２つの特定光源から出射された光束は、それぞれ光路分離素子で分岐された後、対物レンズに入射する。すなわち、少なくとも２つの特定光源で光路分離素子を共有しているため、従来よりも部品点数を減らすことが可能となり、光ピックアップ装置の小型化及び低コスト化を促進することができるとともに、部品の組み付け工程及び調整工程を簡略化することが可能となる。従って、大型化及び高コスト化を招くことなく、３種類以上の光ディスクに対応可能で、各光ディスクに対する対物レンズの位置制御に必要な情報を含む信号を精度良く出力することができる。
【００１３】
この場合において、請求項２に記載の光ピックアップ装置の如く、前記光路分離素子は、前記少なくとも２つの特定光源から出射された光束をそれぞれ分岐するための少なくとも２つの波長選択性を有する光路分離面を有する光路分離用プリズムであることとすることができる。
【００１４】
この場合において、請求項３に記載の光ピックアップ装置の如く、前記少なくとも２つの光路分離面は、互いに交差していることとすることができる。かかる場合には、光路分離素子を小型化することができる。
【００１５】
上記請求項２及び３に記載の各光ピックアップ装置において、請求項４に記載の光ピックアップ装置の如く、前記少なくとも３つの光源のうち少なくとも１つの光源から出射される光束のアスペクト比を変えるための整形用プリズムを更に備え、該整形用プリズムは前記光路分離用プリズムと一体化していることとすることができる。かかる場合には、部品点数を更に減らすことができる。
【００１６】
上記請求項１に記載の光ピックアップ装置において、請求項５に記載の光ピックアップ装置の如く、前記光路分離素子は、１つの光路分離面を有する光路分離用プリズムであり、前記少なくとも２つの特定光源のうち、アクセス対象となる光ディスクの種類に応じて選択された光源から出射された光束が前記光路分離面で前記対物レンズに向かう方向に分岐されるように、前記光路分離用プリズムを回動する駆動手段を更に備えることとすることができる。かかる場合には、光路分離素子として安価な光路分離用プリズムを用いることができる。
【００１７】
上記請求項１〜５に記載の各光ピックアップ装置において、請求項６に記載の光ピックアップ装置の如く、前記少なくとも２つの特定光源は、前記少なくとも３つの光源のうち、最も短い波長の光束を出射する光源を除く光源であることとすることができる。
【００１８】
この場合において、請求項７に記載の光ピックアップ装置の如く、前記最も短い波長の光束は、前記光路分離素子を透過して前記対物レンズに入射することとすることができる。一般的に対物レンズの光軸に対して対物レンズに入射する光束の光軸が傾いていると、記録面に形成される光スポットに波面収差（コマ収差、非点収差）が生じる。この波面収差は、光束の波長が短いほど記録品質に与える影響が大きくなる。ここでは、最も短い波長の光束は光路分離素子を透過するため、光路分離素子の組み付け誤差などの影響を受けずに対物レンズに入射する。従って、対物レンズの光軸に対する最も短い波長の光束における光軸の傾きが大きくなることを防止することができる。すなわち、最も短い波長の光束による光スポットの波面収差を小さくすることが可能となり、記録品質の低下を抑制することができる。
【００１９】
上記請求項１〜７に記載の各光ピックアップ装置において、請求項８に記載の光ピックアップ装置の如く、前記少なくとも３つの光源のうち、少なくとも１つの光源は、該光源から出射された光束の戻り光束を受光する光検出器と一体化していることとすることができる。かかる場合には、部品点数の削減及び光ピックアップ装置の小型化を更に促進することができる。
【００２０】
請求項９に記載の発明は、光ディスクに対して情報の記録、再生及び消去のうち少なくとも再生を行なう光ディスク装置であって、請求項１〜８のいずれか一項に記載の光ピックアップ装置と；前記光ピックアップ装置を介して、前記情報の記録、再生及び消去のうち少なくとも再生を行なう処理装置と；を備える光ディスク装置である。
【００２１】
これによれば、請求項１〜８のいずれか一項に記載の光ピックアップ装置からの出力信号に基づいて、各光ディスクに対する対物レンズの位置制御に必要な情報を精度良く検出することができる。このため、結果として大型化及び高コスト化を招くことなく、３種類以上の光ディスクに対応可能で、各光ディスクに対する情報の記録、再生、及び消去のうち少なくとも再生を含むアクセスを精度良く行うことができる。
【００２２】
【発明の実施の形態】
以下、本発明の一実施形態を図１〜図６に基づいて説明する。図１には、本発明の一実施形態に係る光ディスク装置２０の概略構成が示されている。
【００２３】
この図１に示される光ディスク装置２０は、光ディスク１５を回転駆動するためのスピンドルモータ２２、光ピックアップ装置２３、レーザコントロール回路２４、エンコーダ２５、モータドライバ２７、再生信号処理回路２８、サーボコントローラ３３、バッファＲＡＭ３４、バッファマネージャ３７、インターフェース３８、フラッシュメモリ３９、ＣＰＵ４０及びＲＡＭ４１などを備えている。なお、図１における接続線は、代表的な信号や情報の流れを示すものであり、各ブロックの接続関係の全てを表すものではない。
【００２４】
前記光ピックアップ装置２３は、光ディスク１５のスパイラル状又は同心円状のトラックが形成された記録面にレーザ光を照射するとともに、記録面からの反射光を受光するための装置である。なお、この光ピックアップ装置２３の構成等については後に詳述する。
【００２５】
前記再生信号処理回路２８は、光ピックアップ装置２３の出力信号に基づいてウォブル信号、ＲＦ信号及びサーボ信号（フォーカスエラー信号、トラックエラー信号）などを検出する。ここで検出されたサーボ信号はサーボコントローラ３３に出力される。また、再生信号処理回路２８は、ウォブル信号からアドレス情報及び同期信号等を抽出し、アドレス情報をＣＰＵ４０に、同期信号をエンコーダ２５にそれぞれ出力する。さらに、再生信号処理回路２８は、ＲＦ信号に対して復号処理及び誤り検出処理等を行い、誤りが検出されたときには誤り訂正処理を行った後、再生データとしてバッファマネージャ３７を介してバッファＲＡＭ３４に格納する。
【００２６】
前記サーボコントローラ３３は、再生信号処理回路２８からのフォーカスエラー信号に基づいてフォーカスずれを補正するためのフォーカス制御信号を生成する。また、サーボコントローラ３３は、再生信号処理回路２８からのトラックエラー信号に基づいてトラックずれを補正するためのトラッキング制御信号を生成する。ここで生成された各制御信号は、モータドライバ２７に出力される。
【００２７】
前記モータドライバ２７は、サーボコントローラ３３からの各制御信号及びＣＰＵ４０の指示に基づいて、後述する光ピックアップ装置２３の駆動系及びスピンドルモータ２２を駆動する。すなわち、再生信号処理回路２８、サーボコントローラ３３及びモータドライバ２７によってトラッキング制御及びフォーカス制御が行われる。
【００２８】
前記バッファＲＡＭ３４は、光ディスクに記録するデータ（記録用データ）、及び光ディスクから再生したデータ（再生データ）などが一時的に格納されるバッファ領域と、各種プログラム変数などが格納される変数領域とを有している。
【００２９】
前記バッファマネージャ３７は、バッファＲＡＭ３４へのデータの入出力を管理する。そして、バッファ領域に蓄積されたデータ量が所定量になるとＣＰＵ４０に通知する。
【００３０】
前記エンコーダ２５は、ＣＰＵ４０の指示に基づいてバッファＲＡＭ３４のバッファ領域に蓄積されている記録用データをバッファマネージャ３７を介して取り出し、所定のデータ変調処理及びエラー訂正コードの付加処理などを行ない、光ディスク１５への書き込み信号を生成するとともに、再生信号処理回路２８からの同期信号に同期して書き込み信号をレーザコントロール回路２４に出力する。
【００３１】
前記レーザコントロール回路２４は、エンコーダ２５からの書き込み信号及びＣＰＵ４０の指示に基づいて、光ピックアップ装置２３から出射されるレーザ光の出力を制御する。なお、レーザコントロール回路２４では、ＣＰＵ４０の指示に基づいて、後述する光ピックアップ装置２３に設けられている３つの光源のうちの１つの光源を制御対象とする。
【００３２】
前記インターフェース３８は、ホスト（例えばパソコン）との双方向の通信インターフェースであり、一例としてＡＴＡＰＩ（ＡＴ  Ａｔｔａｃｈｍｅｎｔ  Ｐａｃｋｅｔ  Ｉｎｔｅｒｆａｃｅ）の規格に準拠している。
【００３３】
前記フラッシュメモリ３９は、プログラム領域及びデータ領域を含んで構成されている。このフラッシュメモリ３９は不揮発性メモリであり、電源供給が停止されても格納されている内容は保持される。
【００３４】
フラッシュメモリ３９のプログラム領域には、ＣＰＵ４０にて解読可能なコードで記述されたプログラムが格納されている。
【００３５】
フラッシュメモリ３９のデータ領域には、光ディスクの種類毎の記録条件、及びシーク動作に関する情報（以下「シーク情報」ともいう）などが格納されている。
【００３６】
前記ＣＰＵ４０は、フラッシュメモリ３９のプログラム領域に格納されている上記プログラムに従って前記各部の動作を制御するとともに、制御に必要なデータなどをＲＡＭ４１及びバッファＲＡＭ３４の変数領域に格納する。また、ＣＰＵ４０は、前記各部に含まれる回路系が光ディスクの種類に依存する場合には、光ディスクの種類が明確になった段階で、その種類に応じた設定を行なう。
【００３７】
次に、前記光ピックアップ装置２３の構成等について図２〜図４に基づいて説明する。
【００３８】
図２に示される光ピックアップ装置２３は、３つの光源ユニット（１０１，１１１，１２１）、カップリングレンズ１０３、２つのコリメートレンズ（１１３，１２３）、光路分離素子としての光路分離用プリズム１３１、２つの検出用光路分離素子（１１５，１２５）、２つの検出レンズ（１１７，１２７）、２つの受光器（１１９，１２９）、対物レンズ６０、及び駆動系（フォーカシングアクチュエータ、トラッキングアクチュエータ及びシークモータ（いずれも図示省略））などを備えている。
【００３９】
光源ユニット１０１は、波長が７８０ｎｍの光束（以下、便宜上「ＣＤ用光束」ともいう）を発光する光源としての半導体レーザＬＤ１、該半導体レーザＬＤ１の近傍に配置され、光ディスク１５の記録面で反射されたＣＤ用光束の戻り光束（以下、便宜上「ＣＤ用戻り光束」ともいう）を受光する光検出器としての受光器１０１ａ、及びＣＤ用戻り光束を受光器１０１ａの受光面方向に分岐するためのホログラム１０１ｂなどを有している。この光源ユニット１０１は光源ユニット１０１から出射されるＣＤ用光束の最大強度出射方向が＋Ｘ方向となるように配置されている。上記受光器１０１ａはＣＤ用戻り光束を光電変換し、再生信号処理回路２８に出力する。受光器１０１ａの出力信号は、ウォブル信号情報、ＲＦ信号情報及びサーボ信号情報など含んでいる。なお、光ディスク１５がＣＤのときに半導体レーザＬＤ１が制御対象の光源として選択される。
【００４０】
光源ユニット１１１は、波長が６５０ｎｍの光束（以下、便宜上「赤色ＤＶＤ用光束」ともいう）を発光する光源としての半導体レーザＬＤ２を有している。この光源ユニット１１１は、光源ユニット１１１から出射される赤色ＤＶＤ用光束の最大強度出射方向が＋Ｚ方向となるように配置されている。なお、光ディスク１５が前記赤色ＤＶＤのときに半導体レーザＬＤ２が制御対象の光源として選択される。
【００４１】
光源ユニット１２１は、上記光源ユニット１１１の＋Ｘ側に配置され、波長が４０５ｎｍの光束（以下、便宜上「青色ＤＶＤ用光束」ともいう）を発光する光源としての半導体レーザＬＤ３を有している。この光源ユニット１２１は、光源ユニット１２１から出射される青色ＤＶＤ用光束の最大強度出射方向が＋Ｚ方向となるように配置されている。なお、光ディスク１５が前記青色ＤＶＤのときに半導体レーザＬＤ３が制御対象の光源として選択される。
【００４２】
カップリングレンズ１０３は、光源ユニット１０１の＋Ｘ側に配置され、光源ユニット１０１から出射されたＣＤ用光束をカップリングする。
【００４３】
コリメートレンズ１１３は、光源ユニット１１１の＋Ｚ側に配置され、光源ユニット１１１から出射された赤色ＤＶＤ用光束を略平行光とする。
【００４４】
コリメートレンズ１２３は、光源ユニット１２１の＋Ｚ側に配置され、光源ユニット１２１から出射された青色ＤＶＤ用光束を略平行光とする。
【００４５】
検出用光路分離素子１１５は、コリメートレンズ１１３の＋Ｚ側に配置され、赤色ＤＶＤ用光束の戻り光束（以下、便宜上「赤色ＤＶＤ用戻り光束」ともいう）を−Ｘ方向に分岐する。
【００４６】
検出用光路分離素子１２５は、コリメートレンズ１２３の＋Ｚ側に配置され、青色ＤＶＤ用光束の戻り光束（以下、便宜上「青色ＤＶＤ用戻り光束」ともいう）を＋Ｘ方向に分岐する。
【００４７】
光路分離用プリズム１３１は、カップリングレンズ１０３の＋Ｘ側であり、かつ検出用光路分離素子１１５及び検出用光路分離素子１２５の＋Ｚ側に配置されている。この光路分離用プリズム１３１は、２つの波長選択性を有する光路分離面（Ｓ１，Ｓ２）を有している。光路分離面Ｓ１では、検出用光路分離素子１１５を透過した赤色ＤＶＤ用光束が＋Ｘ方向に分岐され、光路分離面Ｓ２では、検出用光路分離素子１２５を透過した青色ＤＶＤ用光束が＋Ｘ方向に分岐される。すなわち、本実施形態では、半導体レーザＬＤ２及び半導体レーザＬＤ３が特定光源となる。なお、カップリングレンズ１０３からのＣＤ用光束は、そのまま光路分離用プリズム１３１を透過する。
【００４８】
対物レンズ６０は、光路分離用プリズム１３１の＋Ｘ側に配置され、光路分離用プリズム１３１を介した光束（ＣＤ用光束、赤色ＤＶＤ用光束、青色ＤＶＤ用光束）を集光し、光ディスク１５の記録面に光スポットを形成する。
【００４９】
検出レンズ１１７は、検出用光路分離素子１１５の−Ｘ側に配置され、検出用光路分離素子１１５で−Ｘ方向に分岐された赤色ＤＶＤ用戻り光束を前記受光器１１９の受光面に集光する。受光器１１９は、赤色ＤＶＤ用戻り光束を光電変換し、再生信号処理回路２８に出力する。受光器１１９の出力信号は、ウォブル信号情報、ＲＦ信号情報及びサーボ信号情報などを含んでいる。
【００５０】
検出レンズ１２７は、検出用光路分離素子１２５の＋Ｘ側に配置され、検出用光路分離素子１２５で＋Ｘ方向に分岐された青色ＤＶＤ用戻り光束を前記受光器１２９の受光面に集光する。受光器１２９は、青色ＤＶＤ用戻り光束を光電変換し、再生信号処理回路２８に出力する。受光器１２９の出力信号は、ウォブル信号情報、ＲＦ信号情報及びサーボ信号情報などを含んでいる。
【００５１】
上記のように構成される光ピックアップ装置２３の作用を簡単に説明する。先ず、光ディスク１５がＣＤの場合について図２を用いて説明する。
【００５２】
光源ユニット１０１から出射されたＣＤ用光束は、カップリングレンズ１０３でカップリングされ、光路分離用プリズム１３１に入射する。このＣＤ用光束は光路分離用プリズム１３１をそのまま透過し、対物レンズ６０を介して光ディスク１５の記録面に微小スポットとして集光される。
【００５３】
光ディスク１５の記録面で反射したＣＤ用光束は、ＣＤ用戻り光束として、対物レンズ６０、光路分離用プリズム１３１及びカップリングレンズ１０３を介してホログラム１０１ｂに入射する。このＣＤ用戻り光束はホログラム１０１ｂで回折され、受光器１０１ａで受光される。受光器１０１ａからは受光量に応じた電流信号が再生信号処理回路２８に出力される。
【００５４】
次に、光ディスク１５が赤色ＤＶＤの場合について図３を用いて説明する。
【００５５】
光源ユニット１１１から出射された赤色ＤＶＤ用光束は、コリメートレンズ１１３で略平行光とされ、検出用光路分離素子１１５に入射する。検出用光路分離素子１１５を透過した赤色ＤＶＤ用光束は、光路分離用プリズム１３１の光路分離面Ｓ１で＋Ｘ方向に分岐され、対物レンズ６０を介して光ディスク１５の記録面に微小スポットとして集光される。
【００５６】
光ディスク１５の記録面で反射した赤色ＤＶＤ用光束は、赤色ＤＶＤ用戻り光束として、対物レンズ６０を介して光路分離用プリズム１３１に入射する。この赤色ＤＶＤ用戻り光束は光路分離面Ｓ１で−Ｚ方向に分岐され、検出用光路分離素子１１５に入射する。検出用光路分離素子１１５で−Ｘ方向に分岐された赤色ＤＶＤ用戻り光束は、検出レンズ１１７を介して受光器１１９で受光される。受光器１１９からは受光量に応じた電流信号が再生信号処理回路２８に出力される。
【００５７】
次に、光ディスク１５が青色ＤＶＤの場合について図４を用いて説明する。
【００５８】
光源ユニット１２１から出射された青色ＤＶＤ用光束は、コリメートレンズ１２３で略平行光とされ、検出用光路分離素子１２５に入射する。検出用光路分離素子１２５を透過した青色ＤＶＤ用光束は、光路分離用プリズム１３１の光路分離面Ｓ２で＋Ｘ方向に分岐され、対物レンズ６０を介して光ディスク１５の記録面に微小スポットとして集光される。
【００５９】
光ディスク１５の記録面で反射した青色ＤＶＤ用光束は、青色ＤＶＤ用戻り光束として、対物レンズ６０を介して光路分離用プリズム１３１に入射する。この青色ＤＶＤ用戻り光束は光路分離面Ｓ２で−Ｚ方向に分岐され、検出用光路分離素子１２５に入射する。検出用光路分離素子１２５で−Ｘ方向に分岐された青色ＤＶＤ用戻り光束は、検出レンズ１２７を介して受光器１２９で受光される。受光器１２９からは受光量に応じた電流信号が再生信号処理回路２８に出力される。
【００６０】
なお、光ディスク１５の種類については、記録面での反射率、フォーカスエラー信号及びトラックエラー信号の各振幅、ウォブル信号、ＴＯＣ（Ｔａｂｌｅ  Ｏｆ  Ｃｏｎｔｅｎｔｓ）情報、ＰＭＡ（Ｐｒｏｇｒａｍ  Ｍｅｍｏｒｙ  Ａｒｅａ）情報などに基づいて判別される。通常、この判別は光ディスク１５が光ディスク装置２０にローディング（マウント）されたときにＣＰＵ４０によって行われる。そして、その判別結果はＣＰＵ４０からレーザコントロール回路２４に通知されるとともに、ＲＡＭ４１に保存され、随時参照される。また、ＣＰＵ４０は、光ディスクの種類に依存する回路系に対して光ディスクの種類に応じた設定を行なう。
【００６１】
《記録処理》
次に、ホストからの記録要求コマンドを受信したときの光ディスク装置２０における処理動作について図５を用いて簡単に説明する。図５のフローチャートは、ＣＰＵ４０によって実行される一連の処理アルゴリズムに対応し、ホストから記録要求コマンドを受信すると、図５のフローチャートに対応するプログラムの先頭アドレスがＣＰＵ４０のプログラムカウンタにセットされ、記録処理が開始される。
【００６２】
最初のステップ５０１では、記録速度に基づいてスピンドルモータ２２の回転を制御するための制御信号をモータドライバ２７に出力するとともに、ホストから記録要求コマンドを受信した旨を再生信号処理回路２８に通知する。また、ホストから受信したデータ（記録用データ）のバッファＲＡＭ３４への蓄積をバッファマネージャ３７に指示する。
【００６３】
次のステップ５０３では、光ディスク１５の回転が所定の線速度に達していることを確認すると、サーボコントローラ３３に対してサーボオンを設定する。これにより、前述の如くトラッキング制御及びフォーカス制御が行われる。なお、トラッキング制御及びフォーカス制御は記録処理が終了するまで随時行われる。
【００６４】
次のステップ５０５では、記録速度に基づいてＯＰＣ（Ｏｐｔｉｍｕｍ  Ｐｏｗｅｒ  Ｃｏｎｔｒｏｌ）を行い、最適な記録パワーを取得する。すなわち、記録パワーを段階的に変化させつつ、ＰＣＡ（Ｐｏｗｅｒ  Ｃａｌｉｂｒａｔｉｏｎ  Ａｒｅａ）と呼ばれる試し書き領域に所定のデータを試し書きした後、それらのデータを順次再生し、例えばＲＦ信号から検出されたアシンメトリの値が予め実験等で求めた目標値とほぼ一致する場合を最も高い記録品質であると判断し、そのときの記録パワーを最適な記録パワーとする。
【００６５】
次のステップ５０７では、再生信号処理回路２８からの前記アドレス情報に基づいて現在のアドレスを取得する。
【００６６】
次のステップ５０９では、現在のアドレスと記録要求コマンドから抽出した目標アドレスとの差分（アドレス差）を算出する。
【００６７】
次のステップ５１１では、アドレス差に基づいてシークが必要であるか否かを判断する。ここでは、前記シーク情報の一つとしてフラッシュメモリ３９に格納されている閾値を参照し、アドレス差が閾値を越えていれば、ここでの判断は肯定され、ステップ５１３に移行する。
【００６８】
このステップ５１３では、アドレス差に応じたシークモータの制御信号をモータドライバ２７に出力する。これにより、シークモータが駆動し、シーク動作が行なわれる。そして、前記ステップ５０７に戻る。
【００６９】
一方、前記ステップ５１１において、アドレス差が閾値を越えていなければ、ここでの判断は否定され、ステップ５１５に移行する。
【００７０】
このステップ５１５では、現在のアドレスが目標アドレスと一致しているか否かを判断する。現在のアドレスが目標アドレスと一致していなければ、ここでの判断は否定され、ステップ５１７に移行する。
【００７１】
このステップ５１７では、再生信号処理回路２８からのアドレス情報に基づいて現在のアドレスを取得する。そして、前記ステップ５１５に戻る。
【００７２】
以下、前記ステップ５１５での判断が肯定されるまで、ステップ５１５→５１７の処理を繰り返し行う。
【００７３】
現在のアドレスが目標アドレスと一致すれば、前記ステップ５１５での判断は肯定され、ステップ５１９に移行する。
【００７４】
このステップ５１９では、エンコーダ２５に書き込みを許可する。これにより、記録用データは、エンコーダ２５、レーザコントロール回路２４及び光ピックアップ装置２３を介して光ディスク１５に書き込まれる。記録用データがすべて書き込まれると、所定の終了処理を行った後、記録処理を終了する。
【００７５】
《再生処理》
さらに、ホストから再生要求コマンドを受信したときの光ディスク装置２０における処理動作について図６を用いて説明する。図６のフローチャートは、ＣＰＵ４０によって実行される一連の処理アルゴリズムに対応し、ホストから再生要求コマンドを受信すると、図６のフローチャートに対応するプログラムの先頭アドレスがＣＰＵ４０のプログラムカウンタにセットされ、再生処理が開始される。
【００７６】
最初のステップ７０１では、再生速度に基づいてスピンドルモータ２２の回転を制御するための制御信号をモータドライバ２７に出力するとともに、ホストから再生要求コマンドを受信した旨を再生信号処理回路２８に通知する。
【００７７】
次のステップ７０３では、光ディスク１５の回転が所定の線速度に達していることを確認すると、サーボコントローラ３３に対してサーボオンを設定する。これにより、前述の如くトラッキング制御及びフォーカス制御が行われる。なお、トラッキング制御及びフォーカス制御は再生処理が終了するまで随時行われる。
【００７８】
次のステップ７０５では、再生信号処理回路２８からのアドレス情報に基づいて現在のアドレスを取得する。
【００７９】
次のステップ７０７では、現在のアドレスと再生要求コマンドから抽出した目標アドレスとの差分（アドレス差）を算出する。
【００８０】
次のステップ７０９では、前記ステップ５１１と同様にして、シークが必要であるか否かを判断する。シークが必要であれば、ここでの判断は肯定され、ステップ７１１に移行する。
【００８１】
このステップ７１１では、アドレス差に応じたシークモータの制御信号をモータドライバ２７に出力する。そして、前記ステップ７０５に戻る。
【００８２】
一方、前記ステップ７０９において、シークが必要でなければ、ここでの判断は否定され、ステップ７１３に移行する。
【００８３】
このステップ７１３では、現在のアドレスが目標アドレスと一致しているか否かを判断する。現在のアドレスが目標アドレスと一致していなければ、ここでの判断は否定され、ステップ７１５に移行する。
【００８４】
このステップ７１５では、再生信号処理回路２８からのアドレス情報に基づいて現在のアドレスを取得する。そして、前記ステップ７１３に戻る。
【００８５】
以下、前記ステップ７１３での判断が肯定されるまで、ステップ７１３→７１５の処理を繰り返し行う。
【００８６】
現在のアドレスが目標アドレスと一致すれば、前記ステップ７１３での判断は肯定され、ステップ７１７に移行する。
【００８７】
このステップ７１７では、再生信号処理回路２８に読み取りを指示する。これにより、再生信号処理回路２８にて再生データが取得され、バッファＲＡＭ３４に格納される。この再生データはセクタ単位でバッファマネージャ３７及びインターフェース３８を介してホストに転送される。そして、ホストから指定されたデータの再生がすべて終了すると、所定の終了処理を行った後、再生処理を終了する。
【００８８】
以上の説明から明らかなように、本実施形態に係る光ディスク装置２０では、ＣＰＵ４０及び該ＣＰＵ４０によって実行されるプログラムとによって、処理装置が実現されている。しかしながら、本発明がこれに限定されるものではないことは勿論である。すなわち、上記実施形態は一例に過ぎず、上記のＣＰＵ４０によるプログラムに従う処理によって実現した処理装置の少なくとも一部をハードウェアによって構成することとしても良いし、あるいは全てをハードウェアによって構成することとしても良い。
【００８９】
以上説明したように、本実施形態に係る光ピックアップ装置２３によると、３つの光源ユニット（１０１，１１１，１２１）からそれぞれ出射された光束は、対物レンズ６０を介して対応する光ディスクの記録面に集光される。このとき、２つの光源ユニット（１１１，１２１）から出射された光束は、それぞれ光路分離用プリズム（光路分離素子）で分岐された後、対物レンズに入射する。すなわち、２つの光源ユニットで光路分離用プリズムを共有しているため、従来よりも部品点数を減らすことが可能となり、光ピックアップ装置の小型化及び低コスト化を促進することができるとともに、部品の組み付け工程及び調整工程を簡略化することが可能となる。従って、大型化及び高コスト化を招くことなく、３種類以上の光ディスクに対応可能で、各光ディスクに対する対物レンズの位置制御に必要な情報を含む信号を精度良く出力することができる。
【００９０】
また、光源ユニット１０１では、半導体レーザＬＤ１と受光器１０１ａとが一体化されているために、部品点数の削減及び光ピックアップ装置の小型化を更に促進することができる。
【００９１】
また、本実施形態に係る光ディスク装置によると、光ピックアップ装置２３の出力信号に基づいて対物レンズ６０の位置を精度良く制御することができるため、大型化及び高コスト化を招くことなく、３種類以上の光ディスクに対応可能で、各光ディスクに対する情報の記録、再生、及び消去のうち少なくとも再生を含むアクセスを精度良く行うことができる。さらに、光ピックアップ装置の小型化によって、光ディスク装置自体の小型化及び消費電力の低減も促進することができ、例えば携帯用として用いられる場合には、持ち運びが容易となり、更に長時間の使用が可能となる。
【００９２】
なお、上記実施形態では、赤色ＤＶＤ用光束と青色ＤＶＤ用光束とが光路分離用プリズムで分岐される場合について説明したが、本発明がこれに限定されるものではない。例えばＣＤ用光束及び赤色ＤＶＤ用光束が光路分離用プリズムで分岐されても良い。要するに１つの光路分離用プリズムで複数波長の光束が分岐されれば良い。
【００９３】
また、上記実施形態では、光ピックアップ装置における光学系が、ＣＤ用光束に対しては有限共役光学系であり、赤色ＤＶＤ用光束及び青色ＤＶＤ用光束に対しては無限共役光学系である場合について説明したが、本発明がこれに限定されるものではない。
【００９４】
また、上記実施形態では、光路分離用プリズムにおいて、赤色ＤＶＤ用光束及び青色ＤＶＤ用光束がほぼ直角に分岐される場合について説明したが、必ずしもほぼ直角でなくても良い。要するに光束を対物レンズの方向に分岐することができれば良い。
【００９５】
なお、上記実施形態において、一例として図７に示される光ピックアップ装置２３Ａのように、光源ユニット１１１に代えて、半導体レーザＬＤ２、受光器１１２ａ及びホログラム１１２ｂが一体化された光源ユニット１１２が用いられても良い。ホログラム１１２ｂは、赤色ＤＶＤ用戻り光束を受光器１１２ａの受光面方向に回折する。これにより、検出用光路分離素子１１５、検出レンズ１１７、及び受光器１１９は不要となり、更に小型化を促進することができる。
【００９６】
同様に、光源ユニット１２１に代えて、半導体レーザＬＤ３、受光器１２２ａ及びホログラム１２２ｂが一体化された光源ユニット１２２が用いられても良い。ホログラム１２２ｂは、青色ＤＶＤ用戻り光束を受光器１２２ａの受光面方向に回折する。これにより、検出用光路分離素子１２５、検出レンズ１２７、及び受光器１２９は不要となる。
【００９７】
また、赤色ＤＶＤ用光束の最大強度出射方向と青色ＤＶＤ用光束の最大強度出射方向とが異なっていても良い。例えば、図７に示されるように、光源ユニット１２２から出射される青色ＤＶＤ用光束の最大強度出射方向が−Ｚ方向となるように光源ユニット１２２を配置しても良い。この場合には、光路分離面Ｓ２に代えて光源ユニット１２２から出射される青色ＤＶＤ用光束を＋Ｘ方向に分岐するための波長選択性を備えた光路分離面Ｓ３を有する光路分離用プリズム１３１ａが配置される。そして、コリメートレンズ１２３は光路分離面Ｓ３の＋Ｚ側に配置され、コリメートレンズ１２３の＋Ｚ側に光源ユニット１２２が配置されることとなる。
【００９８】
上記のように構成される光ピックアップ装置２３Ａの作用を簡単に説明する。光ディスク１５がＣＤの場合は、上記実施形態と同様であるため、赤色ＤＶＤの場合について図７を用いて説明する。
【００９９】
光源ユニット１１２から出射された赤色ＤＶＤ用光束は、コリメートレンズ１１３で略平行光とされ、光路分離用プリズム１３１ａの光路分離面Ｓ１で＋Ｘ方向に分岐され、対物レンズ６０を介して光ディスク１５の記録面に微小スポットとして集光される。
【０１００】
光ディスク１５の記録面にて反射した赤色ＤＶＤ用光束は、赤色ＤＶＤ用戻り光束として、対物レンズ６０を介して光路分離用プリズム１３１ａに入射する。この赤色ＤＶＤ用戻り光束は光路分離面Ｓ１で−Ｚ方向に分岐され、コリメートレンズ１１３を介してホログラム１１２ｂに入射する。そして、ホログラム１１２ｂで回折された赤色ＤＶＤ用戻り光束は受光器１１２ａで受光される。受光器１１２ａからは受光量に応じた電流信号が再生信号処理回路２８に出力される。
【０１０１】
次に、光ディスク１５が青色ＤＶＤの場合について図８を用いて説明する。
【０１０２】
光源ユニット１２２から出射された青色ＤＶＤ用光束は、コリメートレンズ１２３で略平行光とされ、光路分離用プリズム１３１ａの光路分離面Ｓ３で＋Ｘ方向に分岐され、対物レンズ６０を介して光ディスク１５の記録面に微小スポットとして集光される。
【０１０３】
光ディスク１５の記録面にて反射した青色ＤＶＤ用は、青色ＤＶＤ用戻り光束として、対物レンズ６０を介して光路分離用プリズム１３１ａに入射する。この青色ＤＶＤ用戻り光束は光路分離面Ｓ３で＋Ｚ方向に分岐され、コリメートレンズ１２３を介してホログラム１２２ｂに入射する。そして、ホログラム１２２ｂで回折された青色ＤＶＤ用戻り光束は受光器１２２ａで受光される。受光器１２２ａからは受光量に応じた電流信号が再生信号処理回路２８に出力される。
【０１０４】
また、一例として図９に示される光ピックアップ装置２３Ｂのように、コリメートレンズ１１３及びコリメートレンズ１２３に代えて、光路分離用プリズム１３１ａと対物レンズ６０との間に１つのコリメートレンズ１３３が配置されても良い。これにより、更に部品点数を減らすことができる。
【０１０５】
また、一例として図１０に示される光ピックアップ装置２３Ｃのように、上記光路分離用プリズム１３１ａに青色ＤＶＤ用光束を整形する機能が付加された光路分離用プリズム１３１ｂが用いられても良い。すなわち、整形用プリズムと光路分離用プリズムとを一体化させることが可能である。これにより、部品点数を更に削減することができる。ここでは、青色ＤＶＤ用光束が整形されているが、これに限らず、赤色ＤＶＤ用光束又はＣＤ用光束が整形されても良い。さらに、各光束のうち少なくとも２つの光束がそれぞれ整形されても良い。
【０１０６】
また、一例として図１１に示される光ピックアップ装置２３Ｄのように、光路分離素子として、ほぼその中心を通りＸＺ面に垂直な回転軸ＲＣのまわりに回転可能な光路分離用プリズム１３１ｃを用いても良い。この光路分離用プリズム１３１ｃは１つの光路分離面Ｓ４を有している。そして、光路分離用プリズム１３１ｃは、ＣＰＵ４０からの駆動信号に基づいて駆動部ＤＲＶによって回転軸ＲＣのまわりに回動される。
【０１０７】
例えば光ディスク１５が赤色ＤＶＤのときには、図１１に示されるように、ＣＰＵ４０は、赤色ＤＶＤ用光束が光路分離面Ｓ４で＋Ｘ方向に分岐されるように駆動信号を駆動部ＤＲＶに出力する。一方、光ディスク１５が青色ＤＶＤのときには、図１２に示されるように、ＣＰＵ４０は、青色ＤＶＤ用光束が光路分離面Ｓ４で＋Ｘ方向に分岐されるように駆動信号を駆動部ＤＲＶに出力する。これにより、光路分離用プリズムを更に小型化することができる。
【０１０８】
また、一例として図１３に示される光ピックアップ装置２３Ｅのように、赤色ＤＶＤ用光束を分岐するための光路分離面Ｓ５と青色ＤＶＤ用光束を分岐するための光路分離面Ｓ６とがＸＺ面内でほぼ直交している光路分離用プリズム１３１ｄを用いても良い。光路分離面Ｓ５は、ＣＤ用光束及び青色ＤＶＤ用光束を透過させ、赤色ＤＶＤ用光束を反射する特性を有している。一方、光路分離面Ｓ６は、ＣＤ用光束及び赤色ＤＶＤ用光束を透過させ、青色ＤＶＤ用光束を反射する特性を有している。すなわち、一例として図１３に示されるように、赤色ＤＶＤ用光束は光路分離面Ｓ５で分岐され、一例として図１４に示されるように、青色ＤＶＤ用光束は光路分離面Ｓ６で分岐される。
【０１０９】
また、この場合に一例として図１５に示される光ピックアップ装置２３Ｆのように、上記光路分離用プリズム１３１ｄに青色ＤＶＤ用光束を整形する機能が付加された光路分離用プリズム１３１ｅが用いられても良い。なお、ここでは、青色ＤＶＤ用光束を整形する機能が付加されているが、これに限らず、赤色ＤＶＤ用光束又はＣＤ用光束を整形する機能が付加されても良い。さらに、各光束のうち少なくとも２つの光束をそれぞれ整形する機能が付加されても良い。
【０１１０】
また、一例として図１６に示される光ピックアップ装置２３Ｇのように、青色ＤＶＤ用光束が光路分離用プリズム１３１ｆを透過し、赤色ＤＶＤ用光束及びＣＤ用光束が光路分離用プリズム１３１ｆで分岐されるようにしても良い。この場合には、光路分離用プリズム１３１ｆの光路分離面Ｓ７は、ＣＤ用光束及び青色ＤＶＤ用を透過させ、赤色ＤＶＤ用光束を反射する特性を有している。一方、光路分離面Ｓ８は、青色ＤＶＤ用光束及び赤色ＤＶＤ用光束を透過させ、ＣＤ用光束を反射する特性を有している。例えば組み付け時に光路分離用プリズムが設計上の基準位置に対してＸＺ面内で回転ずれを生じて配置された場合、光路分離面で分岐された光束の光軸は回転ずれ角の２倍傾いて対物レンズ６０へ入射することとなる。一方、光路分離用プリズムを透過する光束は光路分離用プリズムに回転ずれがあっても対物レンズ６０へ入射する光束の光軸は変化しない。一般的に対物レンズに入射する光束の光軸が対物レンズの光軸に対して傾斜（以下「チルト」ともいう）していると波面収差（コマ収差及び非点収差）を生じ、光ディスクの記録面に形成される光スポットが劣化する。すなわち、光路分離用プリズムを透過した光束は、光路分離用プリズムで分岐された光束に比べて光スポットの劣化が少ない。また、チルト量が同じであっても、波長が短い光束の方が記録品質に及ぼす影響が大きい。そこで、光路分離用プリズムを透過する光束を最も短い波長の光束とすることで、光路分離用プリズムの組み付け誤差に起因する記録品質の低下を抑制することが可能となる。すなわち、信頼性の高いピックアップ装置を実現することができる。
【０１１１】
また、上記実施形態では、互いに異なる波長の光束を出射する３つの光源ユニットが設けられている場合について説明したが、本発明がこれに限定されるものではなく、例えば互いに異なる波長の光束を出射する４つ以上の光源ユニットが設けられても良い。
【０１１２】
また、上記実施形態では、２つの波長選択性を有する光路分離面を有する光路分離用プリズムを用いる場合について説明したが、これに限らず、例えば３つの波長選択性を有する光路分離面を有する光路分離用プリズムを用いても良い。
【０１１３】
また、上記実施形態では、情報の記録及び再生が可能な光ディスク装置について説明したが、これに限らず、情報の記録、再生及び消去のうち、少なくとも情報の再生が可能な光ディスク装置であれば良い。
【０１１４】
また、上記実施形態では、インターフェースがＡＴＡＰＩの規格に準拠する場合について説明したが、これに限らず、例えばＡＴＡ（ＡＴ  Ａｔｔａｃｈｍｅｎｔ）、ＳＣＳＩ（Ｓｍａｌｌ  Ｃｏｍｐｕｔｅｒ  Ｓｙｓｔｅｍ  Ｉｎｔｅｒｆａｃｅ）、ＵＳＢ（Ｕｎｉｖｅｒｓａｌ  Ｓｅｒｉａｌ  Ｂｕｓ）１．０、ＵＳＢ２．０、ＩＥＥＥ１３９４、ＩＥＥＥ８０２．３、シリアルＡＴＡ及びシリアルＡＴＡＰＩのうちのいずれかの規格に準拠しても良い。
【０１１５】
【発明の効果】
以上説明したように、本発明に係る光ピックアップ装置によれば、大型化及び高コスト化を招くことなく、３種類以上の光ディスクに対応可能で、各光ディスクに対する対物レンズの位置制御に必要な情報を含む信号を精度良く出力することができるという効果がある。
【０１１６】
また、本発明に係る光ディスク装置によれば、大型化及び高コスト化を招くことなく、３種類以上の光ディスクに対応可能で、各光ディスクに対するアクセスを精度良く行うことができるという効果がある。
【図面の簡単な説明】
【図１】本発明の一実施形態に係る光ディスク装置の構成を示すブロック図である。
【図２】図１における光ピックアップ装置の構成を説明するための図である。
【図３】光ディスクが赤色ＤＶＤのときの図２における光ピックアップ装置の作用を説明するための図である。
【図４】光ディスクが青色ＤＶＤのときの図２における光ピックアップ装置の作用を説明するための図である。
【図５】ホストからの記録要求コマンドに応じて行なわれる光ディスク装置における記録処理を説明するためのフローチャートである。
【図６】ホストからの再生要求コマンドに応じて行なわれる光ディスク装置における再生処理を説明するためのフローチャートである。
【図７】図２における光ピックアップ装置の変形例（その１）を説明するための図である。
【図８】光ディスクが青色ＤＶＤのときの図７における光ピックアップ装置の作用を説明するための図である。
【図９】図２における光ピックアップ装置の変形例（その２）を説明するための図である。
【図１０】図２における光ピックアップ装置の変形例（その３）を説明するための図である。
【図１１】図２における光ピックアップ装置の変形例（その４）を説明するための図である。
【図１２】光ディスクが青色ＤＶＤのときの図１１における光ピックアップ装置の作用を説明するための図である。
【図１３】図２における光ピックアップ装置の変形例（その５）を説明するための図である。
【図１４】光ディスクが青色ＤＶＤのときの図１３における光ピックアップ装置の作用を説明するための図である。
【図１５】図２における光ピックアップ装置の変形例（その６）を説明するための図である。
【図１６】図２における光ピックアップ装置の変形例（その７）を説明するための図である。
【符号の説明】
１５…光ディスク、２０…光ディスク装置、２３，２３Ａ〜２３Ｇ…光ピックアップ装置、４０…ＣＰＵ（処理装置）、６０…対物レンズ、１０１ａ，１１２ａ，１２２ａ，１１９，１２９…受光器（光検出器）、１３１，１３１ａ〜１３１ｆ…光路分離用プリズム（光路分離素子）、ＬＤ１，ＬＤ２，ＬＤ３…半導体レーザ（光源）。
【図１】
2004362698.tif 000003
【図２】
2004362698.tif 000004
【図３】
2004362698.tif 000005
【図４】
2004362698.tif 000006
【図５】
2004362698.tif 000007
【図６】
2004362698.tif 000008
【図７】
2004362698.tif 000009
【図８】
2004362698.tif 000010
【図９】
2004362698.tif 000011
【図１０】
2004362698.tif 000012
【図１１】
2004362698.tif 000013
【図１２】
2004362698.tif 000014
【図１３】
2004362698.tif 000015
【図１４】
2004362698.tif 000016
【図１５】
2004362698.tif 000017
【図１６】
2004362698.tif 000018